(57)【要約】【課題】  ハンドバックなど手提げ物が引っ手繰られたり、お置き引きされた場合、手提げ物と身体の一部に装着するブレスレッドとを結ぶ索条が緊張して、防犯ベルのスイッチが引き抜かれると、警報音が吹鳴する防犯用装身具を提供する。【解決手段】  手首に着脱可能な任意形状を有するブレスレッド４と、このブレスレッド４に一端が取り付けられる索条３と、前記索条３の他端に取り付けら、かつ手提げ物６に連繋される防犯用ベル２とからなるものであって、前記索条３に一定以上の負荷が作用したとき、前記防犯用ベル２が吹鳴するよう構成して防犯用装身具１とする。【選択図】      図１
0003111310.tif 000002
【実用新案登録請求の範囲】
【請求項１】
任意形状を有するブレスレッドと、
このブレスレッドに一端が取り付けられる索条と、
前記索条の他端に取り付けら、かつ手提げ物に連繋される防犯用ベル
とからなるものであって、
前記索条に一定以上の負荷が作用したとき、前記防犯用ベルが吹鳴するよう構成されていること
を特徴とする防犯用装身具。
【請求項２】
前記索条は、
両端部にそれぞれ止め具を具備したもので、一方の止め具を前記ブレスレッドに、他方の止め具を防犯用ベルにそれぞれ着脱自在に装着するよう構成されていること
を特徴とする請求項１に記載の防犯用装身具。
【請求項３】
前記索条は、
両端部にそれぞれ大きさの異なる円環状の止め具を具備したもので、大きな円環状の止め具を前記ブレスレッドに直接的に、小さな円環状の他方の止め具を防犯用ベルにそれぞれ着脱自在に装着するよう構成されていること
を特徴とする請求項１に記載の防犯用装身具。
【請求項４】
前記防犯用ベルは、
前記索条もしくは手提げ物と連結するための連結具と、外部に突出する警報ピンとを有するもので、前記警報ピンを前記索条もしくは手提げ物のいずれかに連繋させたものであること
を特徴とする請求項１に記載の防犯用装身具。
【請求項５】
前記防犯用ベルは、
前記索条もしくは手提げ物と連結するための連結具と、外部に突出する警報ピンとを有するもので、前記連結具を手提げ物に連繋させたものであること
を特徴とする請求項１に記載の防犯用装身具。
【考案の詳細な説明】
【技術分野】
【０００１】
この考案は、ハンドバックなどのバック類などに装着して使用する防犯用装身具に関するものである。
【背景技術】
【０００２】
置き引きや置き忘れを防止するため、バッグ主体の提手部と手首に嵌挿するブレスレットとを、可撓性のある連繋部材をもって連繋された手提げバッグが、実開平５−５８０２７号公報（特許文献１）において開示されている。
【０００３】
この手提げバッグにおいては、ブレスレッドは、前記バッグ主体と共生地で構成されたベルトに、通常の腰ベルトや時計用ベルトなどに通常用いられているバックルなどの止め金を取り付けたものとし、バッグ主体およびブレスレットと共生地の紐に、金属製の装飾チェーンを絡ませてバッグ主体やブレスレットとの調和を図るとともに、充分な強度を持たせたものである。また、ブレスレットとバッグ主体とは、可撓性のある連繋部材をもって連繋されているので、手首の自由さが損なわれることがなく、バッグ主体に加えられた衝撃が直接手首に作用することがないなど、使い心地のよいものとなるとされている。
【０００４】
また、実用新案登録第３０４９３１０号公報（特許文献２）においては、飾りなどの役割を果たすのみでなく、身の危険が生じた場合に助けになる人形として、人形本体に防犯ベルを内蔵し、人形本体の外部に、引っ張ることにより防犯ベルのスイッチをオンにして防犯ベルを発鳴させる紐を取り付けた人形が提案されている。
【特許文献１】実開平  ５−５８０２７号公報（課題を解決するための手段）
【特許文献２】実用新案登録第３０４９３１０号公報（課題を解決するための手段）
【考案の開示】
【考案が解決しようとする課題】
【０００５】
前記特許文献１に開示された手提げバッグにおいて、バック主体とブレスレッドを連繋する可撓性のある連繋部材は、その構成には特段の限定はないとされているが、例示されている連繋部材は、バック主体やブレスレッドと共生地の紐と、金属製の装飾チェーンを絡ませたものである。
【０００６】
しかしながら、特許文献１の手提げバッグは、意匠的な観点からはアクセサリー的要素が認められるものの、連繋部材の構成は複雑で、連繋部材に可撓性を有することは、手首などへの衝撃が緩和される反面、手提げバッグとブレスレッドが連繋部材で一体的に連繋されているので、前記のように十分な強度を有するものであるので、強い力で手提げバッグを引っ張られた場合、ブレスレッドを装着している人が引き倒されるなどのおそれがあるなど、実用性の面から解決すべき課題を有している。
【０００７】
また、特許文献２に記載の人形は、身の危険を感じた人形の所持者自身が人形に設けられた紐を引っ張るという動作をする必要があるので、緊急に発生する異常事態に対しては対応ができないおそれがあるなど、実用性の面から解決すべき課題を有している。
【０００８】
この考案はかかる問題点に鑑み、ハンドバックなど手提げ物が引っ手繰られたり、お置き引きされた場合、手提げ物と身体の一部に装着するブレスレッドとを結ぶ索条が緊張して、防犯ベルのスイッチが引き抜かれると、警報音が吹鳴する防犯用装身具を提供せんとするものである。
【課題を解決するための手段】
【０００９】
前記の目的を達成するため、この考案の請求項１に記載の考案は、
任意形状を有するブレスレッドと、
このブレスレッドに一端が取り付けられる索条と、
前記索条の他端に取り付けら、かつ手提げ物に連繋される防犯用ベル
とからなるものであって、
前記索条に一定以上の負荷が作用したとき、前記防犯用ベルが吹鳴するよう構成されていること
を特徴とする防犯用装身具である。
【００１０】
また、この考案の請求項２に記載の考案は、
請求項１に記載の防犯用装身具において、
前記索条は、
両端部にそれぞれ止め具を具備したもので、一方の止め具を前記ブレスレッドに、他方の止め具を防犯用ベルにそれぞれ着脱自在に装着するよう構成されていること
を特徴とするものである。
【００１１】
また、この考案の請求項３に記載の考案は、
請求項１に記載の防犯用装身具において、
前記索条は、
両端部にそれぞれ大きさの異なる円環状の止め具を具備したもので、大きな円環状の止め具を前記ブレスレッドに直接的に、小さな円環状の他方の止め具を防犯用ベルにそれぞれ着脱自在に装着するよう構成されていること
を特徴とするものである。
【００１２】
また、この考案の請求項４に記載の考案は、
請求項１に記載の防犯用装身具において、
前記防犯用ベルは、
前記索条もしくは手提げ物と連結するための連結具と、外部に突出する警報ピンとを有するもので、前記警報ピンを前記索条もしくは手提げ物のいずれかに連繋させたものであること
を特徴とするものである。
【００１３】
また、この考案の請求項５に記載の考案は、
請求項１に記載の防犯用装身具において、
前記防犯用ベルは、
前記索条もしくは手提げ物と連結するための連結具と、外部に突出する警報ピンとを有するもので、前記連結具を手提げ物に連繋させたものであること
を特徴とするものである。
【考案の効果】
【００１４】
この考案の防犯用装身具は、手首に装着されるブレスレットと、ハンドバックなどの手提げ物に装着される防犯用ベルと、これらブレスレットと手提げ物とを連繋する索条とから構成されているので、万一手提げ物が置き引きもしくは引っ手繰りされても、索条が緊張して防犯用ベルの係止片が引っ張られると、警報ピンが作動して警報音が発生されるので、速やかな対応をすることが可能となる。
【００１５】
特に、この考案においては、防犯用ベルを手提げ物側に連繋させることによって、置き引きもしくは引っ手繰りによって、索条が切断されても、防犯用ベルが手提げ物側に残るとともに、警報音が吹鳴しているので、手提げ物の早期の回収が可能で、手首など身体に危険が及ぶことがない。
【００１６】
しかも、構成がきわめて簡単であるので、安価に供することができ、使用するブレスレッドや索条を選択することによって、デザイン性に優れた防犯用装身具とすることが可能なもので、アクセサリーとしても十分に使用することができるものである。
【考案を実施するための最良の形態】
【００１７】
以下、この考案にかかる防犯用装身具の一例を添付の図面に基づいて具体的に説明するが、この考案は実施例にのみ限定されるものではなく、手首に装着するブレスレットと、ハンドバックなどの手提げ物に装着する防犯用ベルと、これらブレスレットと手提げ物とを連繋する索条とで構成するという要旨を変更しない範囲内で、自由に変更することが可能なものである。
【００１８】
図１は、この考案の防犯用装身具の使用状態を示す説明図、図２はブレスレッと索条の他の例を示す説明図であって、防犯用装身具１は、防犯用ベル２と、金属製の装飾チェーンなどからなる所要長さの索条３と、手首に装着するブレスレット４とから構成されるものである。
【００１９】
前記防犯用ベル２は、外側に引っ張られることによって警報音を吹鳴させる警報ピン２１を外部に突出するよう設けるとともに、この警報ピン２１と相対する反対側の部位に、前記索条３の一端に付設された止め具３１と係合可能な連結具２２とを設けたものであるが、前記索条３と連繋され、警報ピン２１が外部に引き抜くことによって警報音を吹鳴させる構成のものであれば、その形状や色などはいかなるデザインのものであってもよく、特段の制限はないものである。
【００２０】
前記索条３は、所要の長さを有するものであれば、その材質や形状にはなんら制限がないものであるが、デザイン性を考慮すれば、一定の強度を有する金属製の装飾チェーンを使用することが好ましく、一方の端部には、前記防犯用ベル２と連繋させるための止め具３１が、他方の端部には、前記ブレスレッド４と連繋させるための止め具３２がそれぞれ付設されたものである。
【００２１】
前記ブレスレッド４についても、ハンドバックやセカンドバック、ポーチ、手提げ袋など手提げ物を使用する者が手首に着脱自在に装着することができるものであれば、その形状や素材についてはなんら制限がないものであるので、腕時計でも代用が可能である。
【００２２】
かかるブレスレッド４は、基本的には、図１で明らかなように、前記索条３を連繋するための連結具４１を外周部に有するもので、この連結具４１に索条３の一方の端部に設けた止め具３２を係合させて互いに連繋するものである。
【００２３】
かかる構成からなる防犯用装身具１は、使用に際して、索条３の他方の端部に設けた止め具３１を前記防犯用ベル２の連結具２２に係合させ、しかるのち、防犯用ベル２に設けた警報ピン２１を、装飾用チェーン５を介してハンドバックからなる手提げ物６の把手７に連繋させるものである。
【００２４】
このようして防犯用装身具１が取り付けられた手提げ物６が引っ手繰り、あるいは置き引きなどにあって索条３が緊張すると、警報ピン２１が引き抜かれるので、防犯用ベル２が作動し、一定時間が経過するか強制的に吹鳴を中止させる操作しない限り、警報音が吹鳴し、手提げ物６が第三者によって奪われたことを周囲に報知するものである。
【００２５】
この場合、図１に示すように、防犯用ベル２の連結具２２を手提げ物６の把手７に装飾用チェーン５を介して連繋させ、警報ピン２１に直接索条３の止め具３１を連繋させておけば、警報ピン２１が防犯用ベル２から離脱しても、防犯用ベル２は奪われた手提げ物６側に残るので、奪取者が当該手提げ物６を所持しているかぎり、警報音が吹鳴するので、奪取された手提げ物６の発見を容易にすることが可能なものである。なお、この場合、手提げ物６と防犯用ベル２を連繋する連結具２２は、索条３が一杯に緊張しても破壊されない程度の強度を必要とするものである。また、前記装飾用チェーン５は必ずしも必要としないもので、連結具２２を直接手提げ物６の把手７に連繋させてもよい。
【００２６】
一方、前記実施例とは反対に、防犯用ベル２の警報ピン２１を手提げ物６側に取り付けた場合には、手提げ物６から防犯用ベル２が離脱するので、索条３の緊張によっても、警報ピン２１が引き抜かれるだけで、所有者にはなんら危害が及ぶことがない。
【００２７】
また、前記実施例においては、ブレスレット４と索条３の連繋は、ブレスレット４の外周部に設けられた連結具４１を介して行なっているが、図２に示すように、索条３の一方の端部に設ける止め具３２を大きな円環状のものとし、これを直接ブレスレット４に係合させるように構成しておけば、ブレスレット４に不要な加工を施すことなく、索条３との連繋を可能とすることができるものである。なお、この場合、索条３の他方の止め具３１は、前記大きな円環状よりも当然小さな円環状のものとするものであるが、大切なのは、索条３の一方に設ける止め具３２が直接ブレスレッド４に対して係着させることのできる大きさを有することである。
【図面の簡単な説明】
【００２８】
【図１】この考案にかかる防犯用装身具の一例の使用状態を示す説明図である。
【図２】ブレスレッと索条の他の例を示す説明図である。
【符号の説明】
【００２９】
１          防犯用装身具
２          防犯用ベル
２１        警報ピン
２２        連結具
３          索条
３１，３２  止め具
４          ブレスレッド
４１        連結具
５          装飾用チェーン
【図１】
0003111310.tif 000003
【図２】
0003111310.tif 000004